(57)【要約】【課題】伝送路の特性値の調整を行う際に、光信号の特性劣化を抑えるように経路を決定することができる伝送路決定システム、ネットワーク管理装置及び伝送路決定方法を提供すること【解決手段】本発明の伝送路決定システムは、光信号の送信端点及び受信端点のノードの間における複数の伝送路候補を抽出する伝送路候補抽出部１１と、伝送路候補の伝送路特性値を計測する伝送路特性計測部１２と、抽出された複数の伝送路候補それぞれの伝送路特性補正値を算出し、伝送路特性補正値を抽出された複数の伝送路候補を形成するノードに適用する伝送路特性補正部２２と、伝送特性補正値を適用された伝送路の伝送路特性値を測定する品質測定部２４と、伝送特性補正値を適用された伝送路候補における伝送路特性値の測定結果に応じて、送信端点と受信端点との間の前記光信号の伝送路を決定する伝送路決定部２５と、を備える。【選択図】図１
2012222789.tif 000002
【特許請求の範囲】
【請求項１】
複数のノードを用いて形成される光信号の伝送路を決定する伝送路決定システムであって、
前記光信号の送信端点のノードと受信端点のノードとの間の複数の伝送路候補を抽出する伝送路候補抽出手段と、
前記伝送路候補における伝送路特性値を計測する伝送路特性計測手段と、
前記抽出された複数の伝送路候補それぞれにおける前記伝送路特性補正値を算出し、前記算出された伝送路特性補正値を前記抽出された複数の伝送路候補を形成するノードに適用する伝送路特性補正手段と、
前記伝送特性補正値を適用されたそれぞれの伝送路の伝送路特性値を測定する品質測定手段と、
前記それぞれの前記伝送特性補正値を適用された伝送路候補における前記伝送路特性値の測定結果に応じて、前記送信端点と受信端点との間の前記光信号の伝送路を決定する伝送路決定手段と、を備える伝送路決定システム。
【請求項２】
前記伝送路特性値は、分散値及び利得率の少なくとも一方を含む、請求項１記載の伝送路決定システム。
【請求項３】
前記伝送路決定手段は、
前記伝送路を決定するために用いられる前記分散値及び前記利得率に優先度を設定し、高い優先度が設定されている前記分散値又は前記利得率の測定結果に応じて、前記送信端点と受信端点との間の前記光信号の伝送路を決定する、請求項２記載の伝送路決定システム。
【請求項４】
前記品質測定手段は、
前記複数の伝送路候補のうち、前記伝送路特性補正値が所定の値を下回る伝送路候補に対して、前記伝送特性補正値を適用された後の伝送路特性値を測定する、請求項１乃至３のいずれか１項に記載の伝送路決定システム。
【請求項５】
前記伝送路候補抽出手段は、
前記光信号の伝送路に障害が発生した際に、前記伝送路の代替え経路となる前記複数の伝送路候補を抽出する、請求項１乃至４のいずれか１項に記載の伝送路決定システム。
【請求項６】
前記伝送路特性補正手段は、
前記送信端点のノードと、前記受信端点のノードとに前記伝送路特性値を適用する、請求項１乃至５のいずれか１項に記載の伝送路決定システム。
【請求項７】
前記伝送路決定システムは、前記複数のノードを管理するネットワーク管理装置を備え、
前記ネットワーク管理装置は、
前記伝送路特性補正手段と、前記伝送路決定手段とを有する、請求項１乃至６のいずれか１項に記載の伝送路決定システム。
【請求項８】
複数のノードを用いて形成される光信号の伝送路を決定する伝送路決定システムにおいて用いられるネットワーク管理装置であって、
前記光信号の送信端点のノードと受信端点のノードとの間の複数の伝送路候補における伝送路特性値を収集する伝送路特性収集手段と、
前記収集された前記伝送路特性値に基づいて、前記複数の伝送路候補それぞれにおける伝送路特性補正値を算出し、前記算出した伝送路特性補正値を前記伝送路候補を形成するノードに適用する伝送路特性補正手段と、
前記伝送路特性補正値を適用されたそれぞれの伝送路において計測された伝送路特性値に応じて、前記送信端点のノードと前記受信端点のノードとの間の前記光信号の伝送路を決定する伝送路決定手段と、を備えるネットワーク管理装置。
【請求項９】
複数のノードを用いて形成される光信号の伝送路を決定する伝送路決定システムにおいて用いられるネットワーク管理装置の伝送路決定方法であって、
前記光信号の送信端点のノードと受信端点のノードとの間の複数の伝送路候補における伝送路特性値を収集し、
前記収集された前記伝送路特性値に基づいて、前記複数の伝送路候補それぞれにおける伝送路特性補正値を算出し、
前記算出した伝送路特性補正値を前記伝送路候補を形成するノードに通知し、
前記伝送路特性補正値を適用されたそれぞれの伝送路において計測された伝送路特性値に応じて、前記送信端点のノードと前記受信端点のノードとの間の前記光信号の伝送路を決定する伝送路決定方法。
【発明の詳細な説明】
【技術分野】
【０００１】
本発明は、伝送路特性知を用いて、複数のノードを用いて形成される光信号の伝送路を決定する伝送路決定システムに関する。
【背景技術】
【０００２】
近年、インターネットの急速な発展に伴い、ネットワークを流れるトラヒックが増加している。さらに、動画コンテンツを用いたサービス等の普及により、伝送速度の向上が望まれている。そのため、伝送速度の向上を実現することができる光トランスポートシステムを用いたメッシュネットワーク構築の必要性が高まっている。
【０００３】
光トランスポートシステムにおける信号導通には、伝送路特性値の調整が必須となる。また、光トランスポートシステムの伝送路に障害が発生した場合等に、伝送路プロテクション制御が発生すると、新規伝送路にて再度伝送路特性の測定及び調整を実施する必要がある。伝送路特性の測定及び調整には時間がかかるが、伝送路プロテクション制御時における伝送路断時間の要求は、数１０〜数１００ｍｓ程度である。そのため、伝送路特性の測定及び調整にかかる時間を短縮させる必要性が高い。
【０００４】
特許文献１には、光通信路のエンド間による分散補償を光信号の受信前に開始させることにより、受信データ再生遅延時間の短縮化を図った動的な制御を行う光通信路の分散補償システムが開示されている。具体的には、分散補償システムは、データ伝送網とネットワーク制御網とを備えている。ネットワーク制御網は、データ伝送網に設定されるＬＳＰ（Label Switch Path）の経路が決定されると、ＬＳＰの経路上の受信端又は送信端において補償すべき分散値を求める。さらに、ネットワーク制御網は、補償すべき分散値を求める処理をＬＳＰ生成処理以前に行うことにより、パス切替時のオーバヘッドを短縮し、通信路制御の時間を短縮することができる。
【０００５】
特許文献２には、光ネットワークを構成する次のような処理を行うノード装置が開示されている。ノード装置は、ＯＳＰＦ等のルーティングプロトコルを用いて経路が決定されると、その経路の分散量を算出する。次に、ノード装置は、分散量に関して予め定められたパラメータを用いて可変分散補償器を設定し、分散量を調整する。これにより、ノード装置により形成される光ネットワークの経路において、算出された分散量に応じた分散補償値を設定することができる。
【先行技術文献】
【特許文献】
【０００６】
【特許文献１】特開２００４−２７４２３８号公報
【特許文献２】特開２００７−２０１９５３号公報
【発明の概要】
【発明が解決しようとする課題】
【０００７】
しかし、特許文献１及び２に開示されている光ネットワークは、決定された経路における分散量を調整し、光信号の送受信を行っている。そのため、分散量の調整が適切でなく、光信号の特性が劣化してしまう場合においても、決定された経路を用いて光信号を送受信しなくてはならないという問題がある。
【０００８】
本発明は、このような問題を解決するために、伝送路の特性値の調整を行う際に、光信号の特性劣化を抑えるように経路を決定することができる伝送路決定システム、ネットワーク管理装置及び伝送路決定方法を提供することを目的とする。
【課題を解決するための手段】
【０００９】
本発明の第１の態様にかかる伝送路決定システムは、複数のノードを用いて形成される光信号の伝送路を決定する伝送路決定システムであって、前記光信号の送信端点のノードと受信端点のノードとの間の複数の伝送路候補を抽出する伝送路候補抽出手段と、前記伝送路候補における伝送路特性値を計測する伝送路特性計測手段と、前記抽出された複数の伝送路候補それぞれにおける前記伝送路特性補正値を算出し、前記算出された伝送路特性補正値を前記抽出された複数の伝送路候補を形成するノードに適用する伝送路特性補正手段と、前記伝送特性補正値を適用されたそれぞれの伝送路の伝送路特性値を測定する品質測定手段と、前記それぞれの前記伝送特性補正値を適用された伝送路候補における前記伝送路特性値の測定結果に応じて、前記送信端点と受信端点との間の前記光信号の伝送路を決定する伝送路決定手段と、を備えるものである。
【００１０】
本発明の第２の態様にかかるネットワーク管理装置は、複数のノードを用いて形成される光信号の伝送路を決定する伝送路決定システムにおいて用いられるネットワーク管理装置であって、前記光信号の送信端点のノードと受信端点のノードとの間の複数の伝送路候補における伝送路特性値を収集する伝送路特性収集手段と、前記収集された前記伝送路特性値に基づいて、前記複数の伝送路候補それぞれにおける伝送路特性補正値を算出し、前記算出した伝送路特性補正値を前記伝送路候補を形成するノードに適用する伝送路特性補正手段と、前記伝送路特性補正値を適用されたそれぞれの伝送路において計測された伝送路特性値に応じて、前記送信端点のノードと前記受信端点のノードとの間の前記光信号の伝送路を決定する伝送路決定手段と、を備えるものである。
【００１１】
本発明の第３の態様にかかる伝送路決定方法は、複数のノードを用いて形成される光信号の伝送路を決定する伝送路決定システムにおいて用いられるネットワーク管理装置の伝送路決定方法であって、前記光信号の送信端点のノードと受信端点のノードとの間の複数の伝送路候補における伝送路特性値を収集し、前記収集された前記伝送路特性値に基づいて、前記複数の伝送路候補それぞれにおける伝送路特性補正値を算出し、前記算出した伝送路特性補正値を前記伝送路候補を形成するノードに通知し、前記伝送路特性補正値を適用されたそれぞれの伝送路において計測された伝送路特性値に応じて、前記送信端点のノードと前記受信端点のノードとの間の前記光信号の伝送路を決定するものである。
【発明の効果】
【００１２】
本発明により、伝送路の特性値の調整を行う際に、光信号の特性劣化を抑えるように経路を決定することができる伝送路決定システム、ネットワーク管理装置及び伝送路決定方法を提供することができる。
【図面の簡単な説明】
【００１３】
【図１】実施の形態１にかかるノード装置及びネットワーク管理装置の構成図である。
【図２】実施の形態１にかかる伝送路決定システムの全体構成図である。
【図３】実施の形態１にかかる伝送路決定システムにおける伝送路決定処理のシーケンスである。
【図４】実施の形態１にかかるノード装置の伝送路適用処理の流れを示めす図である。
【図５】実施の形態２にかかるネットワーク管理装置の伝送路決定処理の流れを示めす図である。
【図６】実施の形態３にかかるネットワーク管理装置の伝送路決定処理の流れを示めす図である。
【発明を実施するための形態】
【００１４】
（実施の形態１）
以下、図面を参照して本発明の実施の形態について説明する。図１を用いて本発明の実施の形態１にかかる伝送路決定システムの構成例について説明する。伝送路決定システムは、ノード装置１と、ネットワーク管理装置２０とを備えている。また、伝送路システムは、ノード装置を複数備えており、複数のノード装置を用いて、光トランスポートシステム上に光信号の伝送路が形成される。
【００１５】
ノード装置１は、伝送路候補抽出部１１と、伝送路特性計測部１２と、伝送路特性値適用部１３と、通信部１４と、伝送路適用部１５と、を有している。ネットワーク管理装置２０は、伝送路特性収集部２１と、伝送路特性補正部２２と、通信部２３と、品質測定部２４と、伝送路決定部２５と、とを有している。ここで、伝送路候補抽出部１１と、伝送路特性計測部１２と、伝送路特性値適用部１３と、通信部１４と、伝送路適用部１５と、伝送路特性収集部２１と、伝送路特性補正部２２と、通信部２３と、品質測定部２４と、伝送路決定部２５とは、上述のようなノード装置１及びネットワーク管理装置２０への機能分担に制限されるわけではない。例えば、伝送路候補抽出部１１や、品質測定部２４等が、ノード装置１やネットワーク管理装置２０の外部に設置される外部装置等に搭載されていてもよい。また、ノード装置１の一部の機能がネットワーク管理装置２０に搭載されてもよく、ネットワーク管理装置２０の一部の機能がノード装置１に搭載されてもよい。
【００１６】
以下に、ノード装置１の構成について説明する。伝送路候補抽出部１１は、伝送路候補抽出手段を構成する。伝送路候補抽出部１１は、光信号の送信端点となるノード装置と受信端点となるノード装置との間の複数の伝送路候補を抽出する。送信端点となるノード装置と受信端点となるノード装置との間には、複数のノード装置が存在する。そのため、送信端点となるノード装置から、受信端点となるノード装置までの間の経路も複数存在する。伝送路候補は、ＯＳＰＦ等のルーティングプロトコルを用いて動的に設定された経路でもよく、ノード装置間の経路を固定的に設定された経路であってもよい。伝送路候補抽出部１１は、抽出した伝送路候補に関する情報を伝送路特性計測部１２と、伝送路特性値適用部１３と、伝送路適用部１５とに出力する。
【００１７】
伝送路特性計測部１２は、伝送路候補抽出部１１によって抽出された伝送路候補における伝送路特性値を計測する。伝送路特性計測部１２は、伝送路候補抽出部１１によって抽出された伝送路候補上のノード装置、例えば、ノード装置１に隣接するノード装置、との間の伝送路特性値を計測する。伝送路特性値は、例えば、分散値（もしくは分散量）や、利得率等を含む。伝送路特性計測部１２は、計測した伝送路特性値を通信部１４へ出力する。伝送路特性値は、通信部１４を介してネットワーク管理装置２０へ送信される。
【００１８】
伝送路特性値適用部１３は、伝送路候補上の複数のノード装置から収集された伝送路特性値に基づいて定められた伝送路特性補正値を通信部１４から受け取る。伝送路特性補正値は、ネットワーク管理装置２０において算出され、ネットワーク管理装置２０から通信部１４へ送信される。伝送路特性値適用部１３は、通信部１４を介して受け取った伝送路特性補正値を設定する。伝送路特性補正値は、例えば、ノード装置１と隣接するノード間との間において、信号を送受信する際に発生する分散値を低減させるように補正する値である。また、伝送路特性補正値は、ノード装置１から隣接するノード装置に対して送信される信号の利得が十分でない場合に、隣接するノード装置が誤りなく信号を受け取ることができる程度の利得率である。
【００１９】
伝送路適用部１５は、ネットワーク管理装置２０において決定された伝送路に関する情報を、通信部１４を介して受け取り設定する。以後、ノード装置１は、決定された伝送路上であって、隣接するノード装置との間において、光信号の通信を実行する。
【００２０】
続いて、ネットワーク管理装置２０の構成要素について説明する。通信部２３は、ノード装置１の通信部１４との間において通信を実行する。なお、ノード装置１とネットワーク管理装置２０との間の通信は、光トランスポートシステムが用いられてもよく、もしくは、無線通信システム等が用いられてもよい。
【００２１】
伝送路特性収集部２１は、ノード装置１から送信される伝送路特性値を受け取る。なお、伝送路特性収集部２１は、ノード装置１以外にも複数のノード装置から伝送路特性値を受け取る。伝送路特性収集部２１は、受け取った伝送路特性値を伝送路特性補正部２２へ出力する。
【００２２】
伝送路特性補正部２２は、受け取った伝送路特性値を用いて、複数の伝送路候補それぞれにおける伝送路特性補正値を算出する。例えば、伝送路特性値として分散値を受け取った場合に、複数の伝送路候補それぞれにおいて、分散値を減少させるようにそれぞれのノード装置における分散補償値を算出する。また、伝送路特性値として、利得率を受け取った場合に、複数の伝送路候補それぞれにおいて、利得率を上昇させるように、もしくは利得率を予め定められた適切な値に近づけるように、それぞれのノード装置における利得率の補償値を算出する。伝送路特性補正値は、分散補償値及び利得率の補償値の少なくとも一方を含む。伝送路特性補正部２２は、伝送路特性値と伝送路特性補正値とが予め定められたデータテーブルを保持し、受け取った伝送路特性値に応じた伝送路特性補正値を抽出してもよい。伝送路特性補正部２２は、算出もしくは抽出した伝送路特性補正値を通信部２３へ出力する。伝送路特性補正値は、通信部２３を介してノード装置１へ送信される。
【００２３】
品質測定部２４は、伝送路特性補正値が適用されたそれぞれの伝送路における品質を計測する。品質測定部２４は、測定する品質として、例えば、伝送路特性値を計測する。品質測定部２４は、例えば、伝送路候補を形成するそれぞれのノードに対して、測定信号等を出力させ、出力された測定信号を用いて、伝送路特性値を計測してもよい。品質測定部２４は、伝送路候補を形成するそれぞれのノード間の伝送路特性値を計測してもよく、伝送路候補毎に、送信端点となるノード装置から受信端点となるノード装置との間の伝送路特性値を計測してもよい。品質測定部２４は、伝送路候補を形成するそれぞれのノード間の伝送路特性値を計測した場合、計測した伝送路特性値を組み合わせて、送信端点となるノード装置から受信端点となるノード装置との間の伝送路特性値を算出する。
【００２４】
品質測定部２４は、伝送路特性値として算出した分散値又は利得率、もしくは分散値及び利得率を伝送路決定部２５へ出力する。
【００２５】
伝送路決定部２５は、伝送特性補正値を適用されたそれぞれの伝送路候補における伝送路特性値の測定結果に応じて、送信端点のノードと受信端点のノードとの間の光信号の伝送路を決定する。伝送路決定部２５は、複数の伝送路候補のうち、分散値の小さい伝送路候補を伝送路として決定してもよく、利得率が大きい伝送路候補を伝送路として決定してもよい。また、分散値を用いて決定された伝送路と、利得率を用いて決定された伝送路が異なる場合に、分散値と利得率とに優先順位を設定し、優先順位が高い方のパラメータを用いて決定された伝送路を採用するようにしてもよい。伝送路決定部２５は、決定された伝送路に関する情報を通信部２３へ出力する。決定された伝送路に関する情報は、通信部２３を介してノード装置１へ送信される。
【００２６】
続いて、図２を用いて本発明の実施の形態１にかかる伝送路決定システムの全体構成例について説明する。伝送路決定システムは、ノード装置１〜７と、ネットワーク管理装置２０とを備えている。ノード装置１〜７は、光トランスポートシステムを構築している。つまり、ノード装置１〜７は、光信号を送受信することによりデータ通信を行っている。さらに、ノード装置１〜７は、ネットワーク管理装置２０とそれぞれ接続されている。ノード装置１〜７と、ネットワーク管理装置２０との接続は、光トランスポートシステムが用いられてもよく、それ以外の例えば無線通信システム等が用いられてもよい。
【００２７】
ノード装置１はノード装置２と接続されている。ノード装置２は、ノード装置１及びノード装置３〜５と接続されている。ノード装置３〜５は、ノード装置２及びノード装置６と接続されている。ノード装置６は、ノード装置３〜５及びノード装置７と接続されている。図２においては、ノード装置１が送信端点となるノード装置であり、ノード装置７が受信端点となるノード装置とする。そのため、ノード装置１とノード装置７との間の経路は、ノード装置３を経由する経路と、ノード装置４を経由する経路と、ノード装置５を経由する経路と３つの伝送路候補が存在する。
【００２８】
続いて、図３を用いて本発明の実施の形態にかかる伝送路決定システムにおける伝送路決定処理の流れについて説明する。はじめに、ネットワーク管理装置２０は、ノード装置１に対して、ノード装置１及び２の間の伝送路特性値測定指示を送信する（Ｓ１）。同様に、ネットワーク管理装置２０は、ノード装置２に対してノード装置２及び３の間の伝送路特性値測定指示を送信し（Ｓ２）、ノード装置６に対してノード装置５及び６の間の伝送路特性値測定指示を送信し（Ｓ３）、ノード装置７に対してノード装置６及び７の間の伝送路特性値測定指示を送信する（Ｓ４）。なお、図３においては省略しているが、ノード装置３〜５に対しても同様に、伝送路特性値測定指示を送信する。以下の説明においても、ノード装置３〜５における処理の説明を省略する。
【００２９】
次に、ノード装置１は、伝送路特性値測定指示を受け取った後、測定した伝送路特性値の測定結果をネットワーク管理装置２０へ送信する（Ｓ５）。同様に、ノード装置２、６及び７も、伝送路特性値の測定結果をネットワーク管理装置２０へ送信する（Ｓ６〜Ｓ８）。
【００３０】
次に、ネットワーク管理装置２０は、ノード装置１〜７から受け取った伝送路特性値に基づいて、ノード装置１に対して伝送路特性補正値を送信する（Ｓ９）。また、ネットワーク管理装置２０は、ノード装置２に対して伝送路特性補正値を送信する（Ｓ１０）。ここで、ノード装置２は、ノード装置３〜５と接続されている。そのため、ノード装置２は、ノード装置３と接続される場合の伝送路特性補正値と、ノード装置４と接続される場合の伝送路特性補正値と、ノード装置５と接続される場合の伝送路特性補正値とを受け取る。さらに、ネットワーク装置２０は、ノード装置６及び７に対しても伝送路特性補正値を送信する（Ｓ１１、Ｓ１２）。
【００３１】
次に、ネットワーク管理装置２０は、伝送路特性補正値を適用した区間における伝送路特性値をノード装置１〜７から受け取る（Ｓ１３〜Ｓ１６）。例えば、ノード装置２は、ノード装置３との間の伝送路特性値、ノード装置４との間の伝送路特性値及びノード装置５との間の伝送路特性値をネットワーク管理装置２０へ送信する。ここで、ネットワーク管理装置２０は、伝送路特性値を品質測定結果としてノード装置１〜７から受け取る。
【００３２】
次に、ネットワーク管理装置２０は、収集した伝送路特性値に基づいて、伝送路を決定し、決定した伝送路をノード装置１〜７へ通知する（Ｓ１７〜Ｓ２０）。たとえば、ノード装置３を経由する伝送路に決定された場合、ネットワーク管理装置２０は、ノード装置１〜７に対して、ノード装置３を経由する伝送路に決定されたことを通知する。もしくは、ネットワーク管理装置２０は、それぞれのノード装置に対して、隣接するノード装置を通知してもよい。たとえば、ノード装置１に対してはノード装置２と接続されることを通知し、ノード装置２に対してはノード装置１及び３と接続されることを通知し、ノード装置３に対しては、ノード装置２及び６と接続されることを通知し、ノード装置６に対してはノード装置３及び７と接続されることと通知し、ノード装置７に対しては、ノード装置６と接続されることを通知してもよい。
【００３３】
以上説明したように、本発明の実施の形態１にかかる伝送経路決定システムを用いることにより、伝送路特性値を考慮して、伝送経路を決定することができる。そのため、決定された伝送路に対して伝送路特性値を調整する場合と比較して、品質の良い伝送路を選択して光信号の送受信を行うことができる。
【００３４】
（実施の形態２）
続いて、図４を用いて本発明の実施の形態２にかかるノード装置１の処理の流れについて説明する。実施の形態２においては、ノード装置３とノード装置６との間のリンクに障害が発生した場合のノード装置２における伝送路決定処理について説明する。リンクの障害箇所については、ノード装置３とノード装置６との間に制限されるものではない。また、ノード装置２の構成は、図１におけるノード装置１と同様であるため、詳細な説明を省略する。
【００３５】
はじめに、ノード装置２は、ノード装置３とノード装置６との間に障害が発生したことを検出する（Ｓ１１）。ノード装置２は、ノード装置３から障害発生通知を受け取ることにより、ノード装置３とノード装置６との間に障害が発生したことを検出する。又は、ノード装置２は、所定の期間ノード装置３を介してデータを受け取らなかった場合にノード装置３とノード装置７との間のいずれかのリンクもしくはノード装置に障害が発生したと判定してもよい。又は、ノード装置２は、ノード装置３を経由して送信したデータについて、ノード装置３から送信エラー信号を受け取った場合に、ノード装置３とノード装置７との間のいずれかのリンクもしくはノード装置に障害が発生したと判定してもよい。ノード装置２は、ＯＳＰＦ等のルーティングプロトコルにおける障害検出機能を用いて、障害発生を検出してもよい。
【００３６】
次に、ノード装置２の伝送路候補抽出部１１は、伝送路候補を抽出する（Ｓ１２）。例えば、伝送路候補抽出部１１は、ノード装置４を経由してノード装置６と通信を行う伝送路候補１及び、ノード装置５を経由してノード装置６と通信を行う伝送路候補２を抽出する。伝送路候補抽出部１１は、伝送路候補を抽出する際に、あらかじめ代替経路として設定されていたルートを抽出してもよく、ＯＳＰＦ、ＧＭＰＬＳ等の動的なルーティングプロトコルを用いて伝送路候補を抽出してもよい。
【００３７】
次に、伝送路特性計測部１２は、ノード装置４との間の分散値及びノード装置５との間の分散値を計測する（Ｓ１３）。実施の形態２においては、伝送路特性として分散値を計測する例について説明するが、伝送路特性として利得率を計測してもよい。伝送路特性計測部１２において計測された分散値は、ネットワーク管理装置２０へ送信され、ネットワーク管理装置２０において分散補償値が算出される。
【００３８】
次に、伝送路特性値適用部１３は、ネットワーク管理装置２０から分散補償値を受け取る（Ｓ１４）。具体的には、伝送路特性値適用部１３は、ノード装置４との間の経路に適用する分散補償値と、ノード装置５との間の経路に適用する分散補償値とを受け取る。
【００３９】
次に、伝送路特性値適用部１３は、受け取った分散補償値を予め定められた閾値と比較する（Ｓ１５）。分散補償値が、予め定められた閾値よりも低い場合、伝送路特性値適用部１３は、分散補償値を用いて、該当する伝送路の分散値を調整する（Ｓ１６）。例えば、４つの伝送路候補が抽出された場合に、その内の２つの伝送路における分散補償値が閾値よりも低い場合、その２つの伝送路における分散値を調整する。閾値よりも低い分散補償値がない場合、伝送路特性値適用部１３は、抽出された伝送路候補全ての分散値を調整する（Ｓ１７）。このようにすることにより、伝送路の分散値が小さく、品質の良い伝送路を選択することができる。さらに、分散値が相対的に大きく、補償しきれないような伝送路候補を、代替経路から排除することもできる。
【００４０】
次に、伝送路特性計測部１２は、分散値が補償された伝送路候補における分散値を計測する（Ｓ１８）。例えば、伝送路特性計測部１２は、ノード装置４との間の伝送路における分散値と、ノード装置５との間の伝送路における分散値とを計測する。伝送路特性計測部１２は、計測した結果をネットワーク管理装置２０へ送信する。ステップＳ１５において、分散値を調整する伝送路候補が絞られている場合、つまり、ステップＳ１５においてＹＥＳと判定された場合、伝送路特性計測部１２は、全ての伝送路候補における伝送路特性値を計測する必要がないため、伝送路特性値の計測にかかる時間を短縮することができる。
【００４１】
次に、伝送路適用部１５は、伝送路特性計測部１２における計測結果に基づいて、選択された伝送路に関する情報をネットワーク管理装置２０から受け取り、伝送路候補の中から、代替となる伝送路を選択し適用する（Ｓ１９）。
【００４２】
続いて、図５を用いて本発明の実施の形態２にかかるネットワーク管理装置２０における伝送路決定処理の流れについて説明する。はじめに、伝送路特性収集部２１は、それぞれのノード装置から、ノード装置間における分散値を受け取る（Ｓ２１）。次に、伝送路特性補正部２２は、ノード装置１からノード装置７までのそれぞれの経路における分散を抑制させるように、各ノード装置に通知する分散補償値を算出する（Ｓ２２）。伝送路特性補正部２２において算出された分散補償値は、各ノードへ送信される。
【００４３】
続いて、品質測定部２４は、分散値が調整されたそれぞれの伝送路における分散値を、各ノード装置から受け取る（Ｓ２３）。次に、伝送路決定部２５は、受け取った分散値に基づいて、障害箇所の代替経路となる伝送路を決定し、各ノード装置へ通知する（Ｓ２４）。
【００４４】
以上説明したように、本発明の実施の形態２にかかる伝送路決定システムを用いることにより、光信号の伝送路網の一部に障害が発生した場合においても、伝送路の品質が良好な経路を動的に選択することができる。つまり、分散値が調整された後の伝送路における分散値を計測し、その計測結果に基づいて伝送路を決定することにより、伝送路の品質を考慮して伝送路を決定することができる。
【００４５】
（実施の形態３）
続いて、図６を用いて本発明の実施の形態３にかかるネットワーク管理装置２０の伝送路決定処理の流れについて説明する。実施の形態３においては、伝送路特性として分散値及び利得率を用いた伝送路を決定する。
【００４６】
はじめに、伝送路特性収集部２１は、それぞれのノード装置から、伝送路特性値として分散値及び利得率を受け取る（Ｓ３１）。次に、伝送路特性補正部２２は、ノード装置１からノード装置７までのそれぞれの経路における分散を抑制させるように各ノード装置に通知する分散補償値を算出し、さらに、ノード装置１からノード装置７までの伝送において光信号の減衰を抑制させるように各ノード装置に通知する利得率の補償値を算出する（Ｓ３２）。伝送路特性補正部２２において算出された分散補償値及び利得率の補償値は、各ノード装置へ送信される。
【００４７】
次に、品質測定部２４は、分散値が調整されたそれぞれの伝送路における分散値を、各ノード装置から受け取る（Ｓ３３）。次に、伝送路決定部２５は、分散値と利得率とのどちらの優先度が高いかを確認する（Ｓ３４）。分散値と利得率との優先度は、例えば、ネットワーク管理装置２０内メモリ等に予め格納されていてもよい。分散値の優先度が高い場合には、伝送路決定部２５は、複数の伝送路候補の中から、分散値に基づいて伝送路を決定する（Ｓ３５）。利得率の優先度が高い場合には、伝送路決定部２５は、複数の伝送路候補の中から、利得率に基づいて伝送路を決定する（Ｓ３６）。
【００４８】
以上説明したように、本発明の実施の形態３にかかる伝送路決定システムを用いることにより、複数の伝送路候補の中から、複数の伝送路特性値に基づいて、伝送路を決定することができる。つまり、伝送路を決定するために用いる伝送路特性に優先度を設定することにより、ネットワークの運用ポリシー等に基づいて伝送路を決定することができる。
【００４９】
なお、本発明は上記実施の形態に限られたものではなく、趣旨を逸脱しない範囲で適宜変更することが可能である。例えば、伝送路特性値の調整は、上述したように伝送路上の各区間のノード装置において行われてもよく、もしくは、送信端点及び受信端点のノード装置において行われてもよい。送信端点及び受信端点のノード装置において伝送路特性値の調整を行うことにより、全てのノード装置において伝送路特性値の調整処理を行う必要がなくなるため、伝送路決定システム全体の処理量を低下させることができ、更には、伝送路決定システムのコストを低下させることができる。
【００５０】
また、上記の説明においては、伝送路の障害発生時の処理について説明したが、計画的に伝送路の変更を行う支障移転においても同様に本発明を適用することができる。
【符号の説明】
【００５１】
１〜７  ノード装置
１１  伝送路候補抽出部
１２  伝送路特性計測部
１３  伝送路特性値適用部
１４  通信部
１５  伝送路適用部
２０  ネットワーク管理装置
２１  伝送路特性収集部
２２  伝送路特性補正部
２３  通信部
２４  品質測定部
２５  伝送路決定部
【図１】
2012222789.tif 000003
【図２】
2012222789.tif 000004
【図３】
2012222789.tif 000005
【図４】
2012222789.tif 000006
【図５】
2012222789.tif 000007
【図６】
2012222789.tif 000008